(57)【要約】【課題】カールを防ぎ、表裏を逆にした場合でもイージーピール性シーラントの機能を発揮することのできる、積層フィルム及びこれを用いた積層テープ並びに電子レンジ加熱用包装袋を提供する。【解決手段】表裏両面に備えられたベース層２１，２５と、ベース層同士の間に介在するイージーピール性シーラント層２３と基材層２２と、を有する積層フィルム２を構成する。このような積層フィルム２を用いた積層テープ並びに電子レンジ加熱用包装袋を構成する。【選択図】図５
2010126241.tif 000002
【特許請求の範囲】
【請求項１】
表裏両面に備えられたベース層と、上記ベース層同士の間に介在するイージーピール性シーラント層と基材層と、を有する積層フィルム。
【請求項２】
層構成が厚み方向に対称である、請求項１に記載の積層フィルム。
【請求項３】
厚み方向に順にベース層、基材層、イージーピール性シーラント層、基材層、ベース層の層構成を有する、請求項２に記載の積層フィルム。
【請求項４】
厚み方向に順にベース層、イージーピール性シーラント層、基材層、イージーピール性シーラント層、ベース層の層構成を有する、請求項２に記載の積層フィルム。
【請求項５】
厚み方向に順にベース層、イージーピール性シーラント層、基材層、ベース層の層構成を有する、請求項１に記載の積層フィルム。
【請求項６】
請求項１から５の何れかに記載の積層フィルムから成る、積層テープ。
【請求項７】
請求項１から５の何れかに記載の積層フィルムを内面に配設した、電子レンジ加熱用包装袋。
【請求項８】
請求項１から５の何れかに記載の積層フィルムをヒートシールにより接着することで形成された蒸気抜部を有し、内圧上昇により接着された部位が剥離することで蒸気が抜ける、電子レンジ加熱用包装袋。
【発明の詳細な説明】
【技術分野】
【０００１】
本発明は、積層フィルム、積層テープ及びこれを用いた電子レンジ加熱用包装袋に係り、特に、イージーピール性シーラント層を有する積層フィルム、積層テープ及びこれを用いた電子レンジ加熱用包装袋に関する。
【背景技術】
【０００２】
従来から、イージーピール性シーラント層を有する積層フィルムや、これを用いた積層テープが知られている。イージーピール性シーラントとは、ヒートシールを行った場合に易剥離性、すなわち通常のシーラントに比べてシール強度が低い性質を有するシーラントのことである。
【０００３】
このようなイージーピール性シーラント層を有する積層フィルムは、２層以上のフィルムからなり、片面はシール強度が高い通常のシーラントで、他面はシール強度が低いイージーピール性シーラントである。特許文献１には、ラミネート層とイージーピール性シーラント層の二層からなる積層テープが開示され、また、特許文献２には、シーラント層と基材フィルムとイージーピール性シーラント層との三層からなる積層テープが開示されている。
【０００４】
レトルト食品、冷凍食品等を袋に収容した包装体をそのまま電子レンジに入れて加熱を行うと、発生する水蒸気により袋内の圧力が上昇し、最終的には袋が破裂して、電子レンジ等の加熱器内に内容物が飛び散ることがある。そこで、特許文献１〜４には、袋のヒートシール部の一部に積層テープを介在させてこの部分のヒートシール強度を他の部分のシール強度より低くし、内圧が上昇したときにこの部分のシールが剥離することで蒸気が抜けるようにする構造が開示されている。
【０００５】
また、特に特許文献２には、このような構造をスタンディングパウチに適用し、上部のシール部にイージーピール性シーラント層を有する積層フィルムを介在させてヒートシール強度を低くすることで、電子レンジ内で立垂姿勢で加熱し、内圧が上昇したときに上部のシール部から自動破袋して内圧が円滑に逃がされるようにする構造が開示されている。
【０００６】
ところで、図８に示すように、電子レンジ加熱用包装袋１００の内面にイージーピール性シーラント層を有する積層テープ１１５を配置すると、イージーピール性シーラント層の収縮により、当該部分がカールする傾向があり、そのため自動充填機の吸盤で開口を開いて内容物を充填する操作が行いにくい。
【０００７】
そこで、特許文献２では、外面側が基材フィルム、内面側がシーラント層からなる積層フィルムを用いて製袋された電子レンジ加熱用包装袋内面に配置する積層テープとして、シーラント層／基材フィルム／イージーピール性シーラント層の層構成を有する易剥離性テープを利用する技術が開示されている。これは、易剥離性テープの層構成内に基材フィルムを介在させることにより、電子レンジ加熱用包装袋との収縮率の差を低減し、積層テープを配設した部分のカールを防止することを意図している。
【０００８】
【特許文献１】特開２００５−１７８８１３号公報
【特許文献２】特開２０００−１１８５７５号公報
【特許文献３】特開平１０−１７５６８１号公報
【特許文献４】特開２００１−１０６７８号公報
【発明の開示】
【発明が解決しようとする課題】
【０００９】
しかしながら、特許文献２の積層テープでは、これを電子レンジ加熱用包装袋の内面に配設した状態におけるカールはある程度緩和できるものの、一方の面にイージーピール性シーラント層が位置し、このイージーピール性シーラント層が収縮するから、テープ自体のカールを防ぐことはできない。また、その結果、電子レンジ加熱用包装袋の内面に配設した状態においてもカールが残ってしまう。
【００１０】
このように、積層テープ自体にカール特性がある場合、積層テープを繰り出す際に捩じれやすい。また、電子レンジ加熱用包装袋にカール部分があると、バキューム式自動機の吸盤が吸着しにくく、電子レンジ加熱用包装袋を持ち上げるなどの機械操作が行いにくい。また開口に充填機のノズルが入りにくいため、開口を開いて内容物を充填するなどの機械操作が行いにくい。また、カールが残ることは外観上も好ましくない。
【００１１】
さらに、特許文献１〜４に開示されている積層テープはいずれも一方の面にイージーピール性シーラント層が位置しているため、テープの繰り出しの際に捩じれて表裏が反転してしまったり、テープの取付けミスにより表裏を逆に装填してしまったりしたような場合には、イージーピール性シーラントが本来の機能を発揮することができない。
【００１２】
本発明は、上記問題点に鑑みてなされたものであり、カールを防ぎ、表裏を逆にした場合でもイージーピール性シーラントの機能を発揮することのできる、積層フィルム及びこれを用いた積層テープ並びに電子レンジ加熱用包装袋を提供することを目的とする。
【課題を解決するための手段】
【００１３】
上記目的を達成するため、本発明の積層フィルムは、表裏両面に備えられたベース層と、上記ベース層同士の間に介在するイージーピール性シーラント層と基材層と、を有することを特徴とする。
【００１４】
積層フィルムは、層構成が厚み方向に対称であることが望ましい。例えば、厚み方向に順にベース層、基材層、イージーピール性シーラント層、基材層、ベース層の層構成や厚み方向に順にベース層、イージーピール性シーラント層、基材層、イージーピール性シーラント層、ベース層の層構成を有することができる。
【００１５】
また、積層フィルムは、厚み方向に順にベース層、イージーピール性シーラント層、基材層、ベース層の層構成を有するものであってもよい。
【００１６】
上記目的を達成するため、本発明の積層テープは、表裏両面に備えられたベース層と、ベース層同士の間に介在するイージーピール性シーラント層と基材層と、を有する積層フィルムから成る。
【００１７】
また、本発明の電子レンジ加熱用包装袋は、表裏両面に備えられたベース層と、ベース層同士の間に介在するイージーピール性シーラント層と基材層と、を有する積層フィルムを内面に配設し、特にこの積層フィルムをヒートシールにより接着することで形成された蒸気抜部を有する。
【発明の効果】
【００１８】
本発明の積層フィルムによれば、表裏両面にベース層が備えられ、かつイージーピール性シーラント層が外面に位置していないため、イージーピール性シーラントの収縮による積層フィルム自体のカールを防止することができる。
【００１９】
また、層構成が厚み方向に対称である場合には、いずれかの面側にカールしてしまうのをさらに効果的に抑制することができる。
【００２０】
本発明の積層テープによれば、表裏両面にベース層が備えられ、かつイージーピール性シーラント層が外面に位置していないため、積層テープ自体のカールを防止することができる。
【００２１】
本発明の電子レンジ加熱用包装袋によれば、表裏両面にベース層が備えられ、かつイージーピール性シーラント層が外面に位置していないため、電子レンジ加熱用包装袋に積層フィルムを配設した際のカールを防止することができる。
【発明を実施するための最良の形態】
【００２２】
以下、本発明の好ましい実施の形態を添付図面を参照しながら詳細に説明する。はじめに電子レンジ加熱用包装袋の実施形態について説明し、次に積層フィルムについて説明する。
【００２３】
[電子レンジ加熱用包装袋の実施形態]
図１は、本発明の実施形態の電子レンジ加熱用包装袋である、スタンディングパウチ１を示す正面図である。図２は図１のＡ−Ａ断面図、図３は図１のＢ部拡大図、図４は図２のＣ部拡大図である。
【００２４】
スタンディングパウチ１は、図４に示すように外面側が基材層１１ａで、内面側がシーラント層１１ｂからなる合成樹脂フィルム１１を用いシーラント層１１ｂ側が対向するようにしてヒートシールすることで製袋される。基材層１１ａは、単層フィルムでも積層フィルムでもよく、内容物の性状等に応じて選択することができ、例えばＰＥＴ、ナイロン、ＯＰＰ、ポリエステル、ポリプロピレン、ポリアミドなどを用いることができる。シーラント層１１ｂは、ヒートシールできるフィルムであればよく、例えばポリエチレン、ポリプロピレン、アイオノマー樹脂、エチレン−酢酸ビニル共重合体などを用いることができる。なお、基材層１１ａの両面にシーラント層１１ｂを設けてもよいし、他の層を積層した３層以上の層構成としてもよい。
【００２５】
スタンディングパウチ１は、図１及び図２に示すように、表面部１ａ、裏面部１ｂおよび底部１ｃにより袋状に構成されている。表面部１ａ、裏面部１ｂ及び底部１ｃは、一連の合成樹脂フィルム１１で構成されており、図２に示すように合成樹脂フィルム１１を内側にＷ字形に折り返して底部１ｃを形成されている。また、合成樹脂フィルム１１と同様の層構成の別のフィルムを逆Ｖ字形にして挿し込むことにより底部１ｃを形成してもよい。
【００２６】
スタンディングパウチ１は、両側縁にサイドシール部１２、下側に底シール部１３を備える。サイドシール部１２は表面部１ａと裏面部１ｂが互いに接着され、底シール部１３は表面部１ａと底部１ｃ、裏面部１ｂと底部１ｃが互いに接着されている。これらのシール部はヒートシールにより形成される。
【００２７】
スタンディングパウチ１の上方は開口部１４となり、内容物を充填した後には、開口部１４の上縁がヒートシールにより密閉される。底シール部１３は上辺が凹状に湾曲している。底シール切欠き部１９では底部１ｃを構成する合成樹脂フィルム１１が半円状に切り欠かれ、この部分において表面部１ａと裏面部１ｂが互いに接着されている。そのため、底部１ｃを押し広げることで底シール部１３により自立可能である。
【００２８】
裏面部１ｂ内面における上縁より少し下がった位置には、蒸気抜き部１６が設けられている。この蒸気抜き部１６を含む部分に、袋の幅方向に横断して易剥離性テープ１５が配設される。この易剥離性テープ１５は、後述する第一〜第三実施形態の積層フィルム２〜４のいずれかを等幅の帯状に形成したものである。易剥離性テープ１５は、開口部１４に部分的に設けることも不可能ではないが、両サイドのサイドシール部１２にまで及ぶように長尺のテープとして横一文字に配設する方が製造工程を単純化でき、有利である。この場合、サイドシール部１２にも易剥離性テープ１５が挟み込まれるが、このサイドシール部１２には蒸気抜き部１６が設けられていないから、蒸気抜き部１６から蒸気が抜ける前にサイドシール部１２から蒸気が抜けてしまうことはない。なお、易剥離性テープ１５は、表面部１ａまたは裏面部１ｂの一方に配設しても、両方に配設してもよい。
【００２９】
スタンディングパウチ１は、易剥離性テープ１５の介在する部分であって図１における左側の部分に、外縁側から、開封時に引き裂き開始点となるノッチ１７が切り込まれている。また、ノッチ１７の内側には、ノッチ１７の延長線上に蒸気抜き部１６が設けられている。蒸気抜き部１６は、切り抜き１６ａと、この切り抜き１６ａを囲尭する易剥離性シール部１６ｂとから成る。易剥離性シール部１６ｂは、サイドシール部１２と連続したシール部であり、サイドシール部１２から袋の幅方向内側に突出して延設された形で、表面部１ａと裏面部１ｂが互いにヒートシールにより接着されている。この易剥離性シール部１６ｂは、サイドシール部１２の形成と同時に形成することができ、サイドシール部１２と同じ条件、例えば同じ温度および圧力で行うことができる。すなわち、サイドシール部１２と同じ条件、例えば同じ温度および圧力でヒートシールすると、この部位に易剥離性テープ１５が介在しているため、サイドシール部１２よりもシール強度の低いヒートシール部が形成される。なお、易剥離性シール部１６ｂの形成時の圧力や温度をサイドシール部１２より低くし、さらに剥離しやすくすることもできる。
【００３０】
切り抜き１６ａは、図３に示すように、外端側の第１切り抜き領域１６ｃと、第１切り抜き領域１６ｃの内側に連なる第２切り抜き領域１６ｄとを有する。第１切り抜き領域１６ｃは第２切り抜き領域１６ｄに比べ袋の上下方向の幅が広い切り欠き部であり、主としてサイドシール部１２の領域内に位置する。第２切り抜き領域１６ｄは、内端を頂点とする三角形状の切り欠き部であり、主として易剥離性シール部１６ｂの領域内に位置する。
【００３１】
内容物を入れて密封した後のスタンディングパウチ１を電子レンジで加熱した際には、内圧の上昇によってスタンディングパウチ１が膨張し、易剥離性シール部１６ｂの袋幅方向内側の縁、より詳細には、易剥離性シール部１６ｂの袋幅方向内側の角部１６ｅから、表面部１ａと裏面部１ｂとの剥離が生じる。この剥離が切り抜き１６ａの第２切り抜き領域１６ｄの先端に達すると、スタンディングパウチ１内の蒸気が切り抜き１６ａから噴出し、スタンディングパウチ１の内圧を調整することができる。このように蒸気を抜きながら電子レンジ加熱を施した後、開封はノッチ１７から行われ、この延長線上に位置する切り抜き１６ａも破断されるので、開封後の袋に実質的に蒸気抜きの開口が残存することはない。
【００３２】
サイドシール部１２は、上端において易剥離性シール部１６ｂの上側に位置する領域が袋の幅方向内側に突出して延設された形でヒートシールされ、これにより突出シール部１８が形成されている。突出シール部１８はサイドシール部１２と同時に、同じ条件で接着されている。この突出シール部１８は、スタンディングパウチ１に開口部１４から内容物を充填する際に、充填用ノズルの応力により易剥離性シール部１６ｂのシールが剥離してしまうのを防ぐものである。なお、スタンディングパウチ１の開口部１４は、内容物の充填後にヒートシールにより密閉される。この際、突出シール部１８を含む部分がヒートシールされるため、その後の状態において突出シール部１８を視認することはできない。
【００３３】
[積層フィルムの構成]
図５〜７は、本発明の実施形態の積層フィルムの層構成を示す図である。積層フィルムはいずれも、ベース層、基材層、イージーピール性シーラント層を有する。
【００３４】
ここで、ベース層とは、積層フィルムが配設される相手側のシーラント層と熱溶着可能な樹脂素材で構成された層であって、例えば、スタンディングパウチ１を構成する合成樹脂フィルム１１の内面に設けられたシーラント層１１ｂと同じ素材であることが好ましい。具体的には、ポリエチレン、ポリプロピレン、アイオノマー樹脂、エチレン−酢酸ビニル共重合体などを用いることができる。
【００３５】
基材層とは、他の層に比べて強度を有する層であって、延伸フィルムを用いることが望ましい。例えばスタンディングパウチ１を構成する合成樹脂フィルム１１の外面に設けられた基材層１１ａと同様の素材を用いることができる。具体的には、ＰＥＴ、ナイロン、ＯＰＰ、ポリエステル、ポリプロピレン、ポリアミドなどを用いることができる。ベース層及び基材層はそれぞれ１０〜２０ミクロン程度の厚みを有する。
【００３６】
イージーピール性シーラント層とは、相手側のシーラント層とのシール強度が、ベース層と相手側のシーラント層とのシール強度よりも弱いシーラント層であって、例えば、ポリエチレンとポリブデンとのブレンドやポリエチレンとランダムポリプロピレン系コポリマーとのブレンドによる単層や、ブロックポリプロピレン系コポリマー層と、ブロックポリプロピレン系コポリマーとポリエチレン系またはポリブテン系ポリマーとのブレンド物層との２層共押出層や、ランダムポリプロピレン系コポリマー層と、ポリプロピレン層と、エチレン−酢酸ビニル共重合体層との３層共押出層などを用いることができる。イージーピール性シーラント層は、７ミクロン程度の厚みを有する。ベース層及び基材層に対するイージーピール性シーラント層の積層は、ドライラミネート、エクストルージョンコーティング、共押出などの方法により達成できる。ベース層及び基材層からのイージーピール性シーラント層の剥離は、凝集剥離であっても、層間剥離であってもよい。
【００３７】
また、積層フィルムは、予め基材層に印刷または着色を施したものであってもよい。このような積層フィルムは、基材に印刷を施した後、この基材に他の層をラミネートにより積層することで得ることができる。このような積層フィルムをテープ状にし、スタンディングパウチ１等に配設すると、易剥離性テープが正しく設置されていることが容易に確認できる。
【００３８】
[第一実施形態の積層フィルム]
図５は、本発明の第一実施形態の積層フィルムの層構成を示す図である。積層フィルム２は、厚み方向に順にベース層２１、基材層２２、イージーピール性シーラント層２３、基材層２４、ベース層２５の層構成を有する。
【００３９】
積層フィルム２は、表裏両面にベース層２１，２５という同一素材で成る層が備えられ、かつイージーピール性シーラント層２３が外面に位置していないため、イージーピール性シーラントの収縮によるカールを防止することができる。また、層構成が厚み方向に対称であることにより、いずれかの面側にカールしてしまうことがない。
【００４０】
また、表裏両面にベース層２１，２５が備えられているため、スタンディングパウチ１のような電子レンジ加熱用包装袋の蒸気抜き部分に利用された際に、応力を確実に伝達し、確実に剥離させることができる。さらに、基材層２２，２４を含んでいるため、電子レンジ加熱用包装袋に配設された場合にも、電子レンジ加熱用包装袋との収縮率の差によりカールしてしまうことがない。
【００４１】
また、表裏両面にベース層２１，２５が備えられ、イージーピール性シーラント層２３はベース層２１，２５同士の間に介在するため、積層フィルム２の表裏を逆に配設したとしても、易剥離の機能を損なうことがない。
【００４２】
このような積層フィルム２における剥離は、図５（ｂ）に模式的に示すように、イージーピール性シーラント層２３内で剥離する凝集剥離と、図５（ｃ）に模式的に示すように、イージーピール性シーラント層２３と基材層２２，２４との間で剥離する層間剥離と、図５（ｄ）に模式的に示すように、イージーピール性シーラント層２３内で剥離する凝集剥離とイージーピール性シーラント層２３と基材層２２，２４との間で剥離する層間剥離との両方を伴う剥離とが起こり得る。いずれにしても、イージーピール性シーラント層２３に比して硬度のある基材層２２，２４の中で剥離は起こり得ないから、基材層２２，２４によって剥離が制御され、基材層２２と２４との間で剥離が起こることになる。
【００４３】
[第二実施形態の積層フィルム]
図６は、第二実施形態の積層フィルムの層構成を示す図である。積層フィルム３は、厚み方向に順にベース層３１、イージーピール性シーラント層３２、基材層３３、イージーピール性シーラント層３４、ベース層３５の層構成を有する。
【００４４】
積層フィルム２は、表裏両面にベース層３１，３５という同一素材で成る層が備えられ、かつイージーピール性シーラント層３２，３４が外面に位置していないため、イージーピール性シーラントの収縮によるカールを防止することができる。また、層構成が厚み方向に対称であることにより、いずれかの面側にカールしてしまうことがない。
【００４５】
また、表裏両面にベース層３１，３５が備えられているため、電子レンジ加熱用包装袋の蒸気抜き部分に利用された際に、応力を確実に伝達し、確実に剥離させることができる。さらに、基材層３３を含んでいるため、電子レンジ加熱用包装袋に配設された場合にも、電子レンジ加熱用包装袋との収縮率の差によりカールしてしまうことがない。
【００４６】
また、表裏両面にベース層３１，３５が備えられ、イージーピール性シーラント層３２，３４はベース層３１，３５同士の間に介在するため、表裏を逆に配設したとしても易剥離の機能を損なうことがない。
【００４７】
これらに加え、積層フィルム３は、イージーピール性シーラント層を二層有するため、ヒートシール時の温度と圧力により一方のイージーピール性シーラント層が潰れてしまい、本来の性能を発揮できないような場合でも他方のイージーピール性シーラント層により易剥離の機能が確保できる。なお、ヒートシールは一方側からのみ加熱するため、加熱側の方が熱によって劣化する可能性は高い。
また、基材層３３の両面にイージーピール性シーラント層３２，３４を積層するステップと、この両面にベース層３１，３５を積層するステップとの二回の積層ステップで作製することができる。
【００４８】
このような積層フィルム３における剥離は、図６（ｂ）に模式的に示すように、基材層３３とベース層３１との間または基材層３３とベース層３２との間で起こることになる。なお、ここではイージーピール性シーラント層とベース層が隣り合っており、図３に示す角部１６ｅなどではベース層に剥離が及んだり、ベース層を横断するように剥離が生じる場合があるが、その場合であっても、剥離時には強い力がかかり、自然と剥離しやすい部分であるイージーピール性シーラント層へ力が逃げる結果、場合によってはイージーピール性シーラント層と基材との間近辺で剥離が生じる。また、このような積層フィルム３によれば、イージーピール性シーラント層が二層になっているため、イージーピール性シーラント層が一層の場合に比べて剥離の確率が二倍となり、片方のイージーピール性シーラント層に不具合があったとしても、確実に剥離することができる。
【００４９】
[第三実施形態の積層フィルム]
図７は、第三実施形態の積層フィルムの層構成を示す図である。積層フィルム４は、厚み方向に順にベース層４１、イージーピール性シーラント層４２、基材層４３、ベース層４４の層構成を有する。
【００５０】
積層フィルム４は、表裏両面にベース層４１，４４という同一素材で成る層が備えられ、かつイージーピール性シーラント層４２が外面に位置していないため、イージーピール性シーラントの収縮によるカールを防止することができる。
【００５１】
この実施形態の積層フィルムには、表裏両面にベース層４１，４４が備えられているため、電子レンジ加熱用包装袋の蒸気抜き部分に利用された際に、応力を確実に伝達し、確実に剥離させることができる。さらに、基材層４３を含んでいるため、電子レンジ加熱用包装袋に配設された場合にも、電子レンジ加熱用包装袋との収縮率の差によりカールしてしまうことがない。
【００５２】
また、表裏両面にベース層４１，４４が備えられ、イージーピール性シーラント層４２はベース層４１，４４同士の間に介在するため、表裏を逆に配設したとしても易剥離の機能を損なうことがない。
【００５３】
この積層フィルムは、基材層４３の片面にイージーピール性シーラント層４２を積層するステップと、この両面にベース層４１，４４を積層するステップとの二回の積層ステップで作製することができる。
【００５４】
以上のような実施形態の積層フィルムを等幅の帯状に形成し、スタンディングパウチ１の易剥離性テープ１５として利用すると、カールを抑えつつ、易剥離の機能を発揮することができる。また、この実施形態の易剥離性テープは従来の易剥離性テープよりも層が多く、比較的厚みを有する場合が多いため、スタンディングパウチ１を偏平に積み重ねた際にその部分に厚みが生じるが、この実施形態のスタンディングパウチ１などは合成樹脂フィルム１１が４枚重なっている底部１ｃに厚みがあるため、却って上部と下部の厚みが同程度となり、機械操作上好ましい。なお、複数の実施形態の積層フィルムを平行に並べて組み合わせ、例えばノッチ１７より上側と下側で別の実施形態の積層フィルムを利用したり、ノッチ１７より上側と下側で易剥離性テープ１５の総厚を変えたりすることもできる。これにより、この境界線が開封時のガイドとなり、これに沿ってスタンディングパウチ１を開封することができる。
【００５５】
また、実施形態の積層フィルムに他の層を介在させることもできる。例えば、アルミ層を入れることにより可塑性を付与し、開口を開いたまま保持することができる。このようにすると、内容物を充填する場合に手や器具で開口を開いたまま保持する必要がない。
【００５６】
以上説明したように、本発明の積層フィルム、積層テープ及びこれを用いた電子レンジ加熱用包装袋は、表裏両面に備えられたベース層と、上記ベース層同士の間に介在するイージーピール性シーラント層と基材層と、を有する積層フィルム及びこれを用いた積層テープ並びに電子レンジ加熱用包装袋であり、その主旨を逸脱しない範囲内において様々な形態で実施することができる。
【００５７】
本発明の積層フィルムは様々な易剥離部分に使用することができる。例えばスタンディングパウチ１のような自立型の袋だけでなく、四方シール袋や三方シール袋など、底面を有しない電子レンジ加熱用包装袋に対しても適用することができる。さらに、本発明の積層フィルムは電子レンジ加熱用包装袋の蒸気抜き部以外にも適用することができる。例えば、カップ容器の易剥離部分などにも利用できる。このような場合にも、カールを抑えることで機械操作が行いやすくなる。
【図面の簡単な説明】
【００５８】
【図１】本発明の電子レンジ加熱用包装袋の実施形態を示す正面図である。
【図２】図１のＡ−Ａ断面図である。
【図３】図１のＢ部拡大図である。
【図４】図２のＣ部拡大図である。
【図５】本発明の積層フィルムの第一実施形態の層構成を示す図である。
【図６】本発明の積層フィルムの第二実施形態の層構成を示す図である。
【図７】本発明の積層フィルムの第三実施形態の層構成を示す図である。
【図８】本発明の電子レンジ加熱用包装袋の実施形態を示す断面図である。
【符号の説明】
【００５９】
１     スタンディングパウチ
１ａ   表面部
１ｂ   裏面部
１ｃ   底部
２,３,４      積層フィルム
１１   合成樹脂フィルム
１１ａ 基材層
１１ｂ シーラント層
１２   サイドシール部
１３   底シール部
１４   開口部
１５   易剥離性テープ
１６   蒸気抜き部
１６ｂ 易剥離性シール部
１６ｃ 第１切り抜き領域
１６ｄ 第２切り抜き領域
１７   ノッチ
１８   突出シール部
１９   底シール切欠き部
２１，２５，３１，３５，４１，４４ ベース層
２２，２４，３３，４３  基材層
２３，３２，３４，４２  イージーピール性シーラント層
【図１】
2010126241.tif 000003
【図３】
2010126241.tif 000004
【図５】
2010126241.tif 000005
【図２】
2010126241.tif 000006
【図４】
2010126241.tif 000007
【図６】
2010126241.tif 000008
【図７】
2010126241.tif 000009
【図８】
2010126241.tif 000010